(57)【要約】  【課題】  耐久性を良好に保つことができ、製造あるいは組立てすることの容易な防振ダンパを提供することである。  【解決手段】  上方に開放する凹部の形成された支持体１０と、支持体１０の上端に前記凹部を密閉するように装着された可撓性を有するベロー部２０とを有し、支持体１０の前記凹部及びベロー部２０内側に形成される空間に粘性流体の充填された防振ダンパであって、ベロー部２０は、上端から窪む軸受け窪み部２１ａが形成されたベロー部本体２１と、ベロー部本体２１と一体成型され、軸受け窪み部２１ａの開口を囲むようにベロー部本体２１の上端から突出する複数の薄肉保護片２２ａ、２２ｂ、２２ｃ、２２ｄとを有す構成となる。【選択図】  図２
2006200602.tif 000002
【特許請求の範囲】
【請求項１】
上方に開放する凹部の形成された支持体と、該支持体の上端に前記凹部を密閉するように装着された可撓性を有するベロー部とを有し、前記支持体の前記凹部及びベロー部内側に形成される空間に粘性流体の充填された防振ダンパであって、
前記ベロー部は、上端から窪む軸受け窪み部が形成されたベロー部本体と、
前記ベロー部本体と一体成型され、前記軸受け窪み部の開口を囲むように前記ベロー部本体の上端から突出する複数の薄肉保護片とを有することを特徴とする防振ダンパ。
【請求項２】
前記複数の前記薄肉保護片は、薄肉筒状体をスリットにて分割した分割片となることを特徴とする請求項１記載の防振ダンパ。
【発明の詳細な説明】
【技術分野】
【０００１】
本発明は、機器の筐体等を弾性支持する防振ダンパに関する。
【背景技術】
【０００２】
例えば、車両に搭載されるディスクプレーヤ等の機器は、車両走行中の振動を緩和するために、機器内に収容されたメカニズムが防振ダンパによって弾性支持された状態で車両の所定部位（例えば、センタコンソール内）に設置される。この防振ダンパは、例えば、図４に示すように構成される。
【０００３】
図４において、この防振ダンパは、支持体１０と支持体１０に装着されたベロー部２０とによって構成される。支持体１０は、硬質樹脂等で形成され下部にフランジを有する筒状部１１と、硬質樹脂等で形成されたベース部１２とが溶着等により一体化された構造となっている。このようにベース部１２上に筒状部１１が接合されることにより、支持体１０は、上方に開放する凹部が形成された構造となる。
【０００４】
ベロー部２０は、ゴム、熱可塑性エラストマー等にて袋状に形成され、可撓性を有する。ベロー部２０の上端略中央部には、該上端から窪む軸受け窪み部２０ａが形成されている。ベロー部２０は、支持体１０を構成する筒状部１１の上端縁に溶着等により接合され、筒状部１１（支持体１０の凹部）を密封する。そして、筒状部１１内及びベロー部２０内側に形成される空間にシリコンオイル等の粘性流体ＯＬが充填される。
【０００５】
なお、ベース部１２の所定端部には、当該防振ダンパを所定の設置位置に取付け固定するための取付け穴１２ａが形成されている。
【０００６】
このような構造の防振ダンパは、機器の筐体（メカニズムのシャーシ等）３０から突出する軸３１を軸受け窪み部２０ａにて受け、前記機器の筐体３０を弾性支持する。これにより、当該防振ダンパが設置される部位の振動が防振ダンパ内の粘性流体ＯＬによって吸収され、筐体３０に伝達する振動が低減されるようになる。
【０００７】
このようにして機器の筐体３０を弾性支持する防振ダンパでは、可撓性を有するベロー部２０には機器の重量が作用しており、比較的大きな振動にて、ベロー部２０が潰されて筐体３０の底面とベロー部２０の上端面とが繰り返し擦れあうこととなる。このように支持される筐体３０とベロー部２０の上端面との擦れあいが繰り返しなされることにより、ベロー部２０の上端面が磨耗してしまい、当該防振ダンパの耐久性の観点から好ましくない。
【０００８】
そこで、従来、ベロー部２０と支持すべき物体との間に保護シートを挿入したり、ベロー部２０の表面に保護膜を別途形成したりすることが提案されている（例えば、特許文献１参照）。このような防振ダンパによれば、ベロー部２０の上端面と支持すべき物体との直接的な擦れ合いがなくなり、その耐久性を良好に保つことができるようになる。
【特許文献１】特開平２００３−１２０７４３号公報
【発明の開示】
【発明が解決しようとする課題】
【０００９】
しかしながら、このような防振ダンパでは、ベロー部２０と支持すべき物体との間に、別途保護シートを挿入したり、ベロー部２０の表面に保護膜を別途形成したりしなければならず、その製造あるいは組立てが煩雑になってしまう。
【００１０】
本発明は、このような従来の問題を解決するためになされたもので、耐久性を良好に保つことができ、製造あるいは組立てすることの容易な防振ダンパを提供するものである。
【課題を解決するための手段】
【００１１】
本発明に係る防振ダンパは、上方に開放する凹部の形成された支持体と、該支持体の上端に前記凹部を密閉するように装着された可撓性を有するベロー部とを有し、前記支持体の前記凹部及びベロー部内側に形成される空間に粘性流体の充填された防振ダンパであって、前記ベロー部は、上端から窪む軸受け窪み部が形成されたベロー部本体と、前記ベロー部本体と一体成型され、前記軸受け窪み部の開口を囲むように前記ベロー部本体の上端から突出する複数の薄肉保護片とを有する構成となる。
【００１２】
このような構成により、支持すべき物体から突出する軸をベロー部本体の軸受け窪み部で受けて前記物体を弾性支持する状態において、物体の底面が前記軸受け窪み部の開口を囲むように形成された複数の薄肉保護片を放射状に押し広げる。その結果、ベロー部本体の上端面と前記物体との間には薄肉保護片が介在することとなり、ベロー部本体の上端面と前記物体との直接的な擦れ合いをなくすことができる。また、前記複数の薄肉保護片は、ベロー部本体と一体成型されており、ベロー部本体と支持すべき物体との間に介在物を別途設ける必要がない。
【００１３】
また、本発明に係る防振ダンパは、前記複数の前記薄肉保護片が、薄肉筒状体をスリットにて分割した分割片となる構成とすることができる。
【００１４】
このような構成により、スリットにて分割された薄肉筒状体を形成することにより複数の薄肉保護片が形成されるようになるので、ベロー部本体と前記複数の薄肉保護片とを比較的容易に一体成型することができるようになる。
【発明の効果】
【００１５】
本発明に係る防振ダンパによれば、ベロー部本体と支持すべき物体との間に介在物を別途設ける必要がなく、当該防振ダンパを容易に製造あるいは組立てることができるようになる。また、支持すべき物体から突出する軸をベロー部本体の軸受け窪み部にて受けて前記物体を弾性支持する状態で、ベロー部本体と一体成型された複数の薄肉保護片がベロー部本体と前記物体との間に介在されるようになるので、ベロー部本体の上端面と前記物体との直接的な擦れ合いがなくなり、その耐久性を良好に保つことができるようになる。
【発明を実施するための最良の形態】
【００１６】
以下、本発明の実施の形態について、図面を用いて説明する。
【００１７】
本発明の実施の一形態に係る防振ダンパは、図１及び図２に示すように構成される。なお、図１は防振ダンパの外観斜視図であり、図２は防振ダンパの断面図である。
【００１８】
図１及び図２において、この防振ダンパは、従来の防振ダンパ（図４参照）と同様に、支持体１０と支持体１０に装着されたベロー部２０とによって構成される。支持体１０は、従来の防振ダンパと同様に、溶着によって一体化された筒状部１１及びベース部１２（それぞれが、例えば、硬質樹脂製）によって構成されることによって、上方に開口する凹部が形成されたものとなる。ベース部１２の所定端部には当該防振ダンパを所定の設置位置に取付け固定するための取付け穴１２ａが形成されている。なお、筒状部１１とベース部１２とを一体成型することも可能である。
【００１９】
ベロー部２０は、ゴム、熱可塑性エラストマー等により一体成型されたベロー部本体２１及び４つの薄肉保護片２２ａ、２２ｂ、２２ｃ、２２ｄを有している。ベロー部本体２１は、袋状に形成され、その上端略中央部には該上端から窪む軸受け窪み部２１ａが形成されている。薄肉保護片２２ａ、２２ｂ、２２ｃ、２２ｄは、ベロー部本体２１の軸受け窪み部２１ａの開口を囲むようにベロー部本体２１の上端から突出する薄肉円筒体を４つのスリットにて分割した分割片となる。
【００２０】
ベロー部本体２１は、支持体１０を構成する筒状部１１の上端縁に溶着等により接合され、筒状部１１（支持体１０の凹部）を密封する。そして、筒状部１１内及びベロー部本体２１内側に形成される空間にシリコンオイル等の粘性流体ＯＬが充填される。なお、ベロー部本体２１と筒状部１１は二色成型にて一体化してもよい。
【００２１】
このような構造の防振ダンパは、図３に示すように、機器の筐体（シャーシ）３０から突出する軸３１をベロー部本体２１の軸受け窪み部２１ａにて受け、前記機器の筐体３０を弾性支持する。この状態で、筐体３０の底面が４つの薄肉保護片２２ａ、２２ｂ、２２ｃ、２２ｄ（図３には、薄肉保護片２２ｄは、薄肉保護片２３ｂの背後に位置しており表れていない）を放射状に押し広げ、ベロー部本体２１の上端面と筐体３０との間には４つの薄肉保護片２２ａ、２２ｂ、２２ｃ、２２ｄが介在することとなる。
【００２２】
当該防振ダンパでは、このようにベロー部本体２１の上端面と筐体３０との間に４つの薄肉保護片２２ａ、２２ｂ、２２ｃ、２２ｄが介在するので、ベロー部本体２１の上端面と支持すべき筐体３０との直接的な擦れ合いをなくすことができる。従って、当該防振ダンパの耐久性を良好に保つことができるようになる。
【００２３】
また、複数の薄肉保護片２２ａ、２２ｂ、２２ｃ、２２ｄは、薄肉円筒体を４つのスリットにて分割した分割片としてベロー部本体２１と一体成型されているので、即ち、ベロー部２０を成型する際にベロー部本体２１と４つの薄肉保護片２２ａ、２２ｂ、２２ｃ、２２ｄとが同時に成型されるので、ベロー部本体２１と支持すべき筐体３０との間にそれらの擦り合いを防止するための介在物を別途設けるための作業工程を必要としない。従って、当該防振ダンパをより容易に製造あるいは組立てることができるようになる。
【００２４】
なお、前述した例では、ベロー部本体２１の上端部に４つの薄肉保護片２２ａ、２２ｂ、２２ｃ、２２ｄが形成されたが、３つ以下、あるいは、５つ以上の薄肉保護片を形成するようにしてもよい。また、支持体１０は、溶着等によって一体化された筒状部１１とベース部１２とから構成されていたが、筒状部１１及びベース部１２とが当初から一体化されたものであってもよい。
【産業上の利用可能性】
【００２５】
以上、説明したように、本発明に係る防振ダンパは、耐久性を良好に保つことができ、製造あるいは組立てすることが容易であるという効果を有し、機器の筐体等を弾性支持する防振ダンパとして有用である。
【図面の簡単な説明】
【００２６】
【図１】本発明の実施の一形態に係る防止ダンパの斜視図である。
【図２】本発明の実施の一形態に係る防振ダンパの断面図である。
【図３】本発明の実施の一形態に係る防振ダンパの使用状態を示す側面図である。
【図４】従来の防振ダンパの一例を示す断面図である。
【符号の説明】
【００２７】
１０  支持体
１１  筒状部
１２  ベース部
２０  ベロー部
２１  ベロー部本体
２２ａ、２２ｂ、２２ｃ、２２ｄ  薄肉保護片
３０  筐体
３１  軸
【図１】
2006200602.tif 000003
【図２】
2006200602.tif 000004
【図３】
2006200602.tif 000005
【図４】
2006200602.tif 000006